(57)【要約】【課題】アウターシェルを用いず、且つねじを殆んど若しくは全く用いずに、背凭れ部を背フレームに取り付ける。【解決手段】着座者の背を支持する背凭れ部１と、その背凭れ部１を座に連結する背フレーム２とを少なくとも有する椅子において、背凭れ部１は背フレーム２の上方部分を被覆するポケット３を有し、そのポケット３は背フレーム２の上方部分と係合して当該上方部分がポケット３から抜け出ることを妨げる係止部４を有し、背フレーム２の上方部分をポケット３で被覆すると共に係止部４を当該被覆した上方部分に係合させて背凭れ部１を背フレーム２に取り付けるようにしている。【選択図】　　　　図１
2004049364.tif 000002
【特許請求の範囲】
【請求項１】
着座者の背を支持する背凭れ部と、該背凭れ部を座に連結する背フレームとを少なくとも有する椅子において、前記背凭れ部は前記背フレームの上方部分を被覆するポケットを有し、前記ポケットは前記背フレームの上方部分と係合して当該上方部分が前記ポケットから抜け出ることを妨げる係止部を有し、前記背フレームの上方部分を前記ポケットで被覆すると共に前記係止部を当該被覆した上方部分に係合させて前記背凭れ部を前記背フレームに取り付けることを特徴とする背凭れの取付構造。
【請求項２】
前記背凭れ部は、枠状のインナーシェルと、該インナーシェルを内包する袋状の表皮部材とを有し、前記背フレームの上方部分は、前記インナーシェルと対向する部分と前記係止部と係合する部分とからなる枠体を有することを特徴とする請求項１記載の背凭れの取付構造。
【請求項３】
前記係止部は前記ポケットの開口縁部に設けられることを特徴とする請求項１または２に記載の背凭れの取付構造。
【請求項４】
前記背凭れ部は、着座者の腰部に向かって突出するように形成された屈曲部を有し、前記背フレームは、該背フレームに対して移動可能に構成された可動部材を有し、前記背凭れ部の下端側は前記可動部材に取り付けられ、前記可動部材を移動させることによって前記屈曲部の突出量を調整可能としたことを特徴とする請求項１から３のいずれかに記載の背凭れの取付構造。
【発明の詳細な説明】
【０００１】
【発明の属する技術分野】
本発明は、背凭れの取付構造に関する。さらに詳述すると、本発明は、背凭れ部を背フレームに取り付けるための構造に関する。
【０００２】
【従来の技術】
従来の背凭れの取付構造は、図１５に示すように、クッション性を有する背凭れ部１０１と、背凭れ部１０１の骨材となるインナーシェル１０２と、このインナーシェル１０２にねじ１０３で取り付けられて背凭れ部１０１を座に連結する背支桿１０４と、インナーシェル１０２と背支桿１０４との連結部分を覆い隠すように背凭れ部１０１の背面側に取り付けられるアウターシェル１０５を有して構成される（特開平０７−０９５９１２号公報図４参考）。
【０００３】
【発明が解決しようとする課題】
しかしながら、従来の背凭れの取付構造では、アウターシェル１０５を用いているため、部品点数が多くなり、組立工数も増大するという問題を有している。また、背凭れの取付にねじ１０３を多用していることから、背凭れの取り付けや取り外し作業が面倒であるという問題を有している。
【０００４】
そこで本発明は、アウターシェルを用いず、且つねじを殆んど若しくは全く用いずに、背凭れ部を背フレームに容易に取り付けることができる構造を提供することを目的とする。
【０００５】
【課題を解決するための手段】
かかる目的を達成するため、請求項１記載の背凭れの取付構造は、着座者の背を支持する背凭れ部と、該背凭れ部を座に連結する背フレームとを少なくとも有する椅子において、背凭れ部は背フレームの上方部分を被覆するポケットを有し、ポケットは背フレームの上方部分と係合して当該上方部分がポケットから抜け出ることを妨げる係止部を有し、背フレームの上方部分をポケットで被覆すると共に係止部を当該被覆した上方部分に係合させて背凭れ部を背フレームに取り付けるようにしている。
【０００６】
したがって、背フレームの上方部分を背凭れ部に設けられたポケットで被覆し、ポケットに設けられた係止部を当該被覆した上方部分に係合させることで、背凭れ部が背フレームに取り付けられる。これにより、アウターシェルを用いず、且つねじ等を殆んど若しくは全く用いずに、背凭れ部を背フレームに容易に取り付けることができる。
【０００７】
また、請求項２記載の発明は、請求項１記載の背凭れの取付構造において、背凭れ部は、枠状のインナーシェルと、該インナーシェルを内包する袋状の表皮部材とを有し、背フレームの上方部分は、インナーシェルと対向する部分と係止部と係合する部分とからなる枠体を有するものとしている。この場合、背凭れ部は、インナーシェルと背フレームの枠体とが重ね合わされることによって、安定に支持される。
【０００８】
また、請求項３記載の発明は、請求項１または２に記載の背凭れの取付構造において、係止部はポケットの開口縁部に設けられるものとしている。この場合、ポケットが捲れてしまうことや、ポケットに弛みや皺が生じてしまうこと等が防止される。
【０００９】
また、請求項４記載の発明は、請求項１から３のいずれかに記載の背凭れの取付構造において、背凭れ部は、着座者の腰部に向かって突出するように形成された屈曲部を有し、背フレームは、該背フレームに対して移動可能に構成された可動部材を有し、背凭れ部の下端側は可動部材に取り付けられ、可動部材を移動させることによって屈曲部の突出量を調整可能であるようにしている。この場合、着座者の腰部に向かって突出するように形成された屈曲部の突出量を調整するランバーサポート機構が構成される。
【００１０】
【発明の実施の形態】
以下、本発明の構成を図面に示す実施形態に基づいて詳細に説明する。
【００１１】
図１から図７に本発明の背凭れの取付構造の実施の一形態を示す。この背凭れの取付構造は、着座者の背を支持する背凭れ部１と、その背凭れ部１を座１５に連結する背フレーム２とを少なくとも有する椅子１１において、背凭れ部１は背フレーム２の上方部分を被覆するポケット３を有し、そのポケット３は背フレーム２の上方部分と係合して当該上方部分がポケット３から抜け出ることを妨げる係止部４を有し、背フレーム２の上方部分をポケット３で被覆すると共に係止部４を当該被覆した上方部分に係合させて背凭れ部１を背フレーム２に取り付けるようにしている。
【００１２】
本実施形態の背凭れ部１は、例えば、インナーシェル５と、そのインナーシェル５を内包する袋状の表皮部材８とを有して構成される。このような構成の場合、クッション性が高く且つ厚みの薄いコンパクトな背凭れ部１を得ることができる。但し、本実施形態は好適な例示であって、背凭れ部１の構成が本実施形態の例に限定されるものではない。
【００１３】
インナーシェル５は、例えば枠状に形成される。より具体的には、本実施形態のインナーシェル５は、正面が矩形状で側面は着座者の腰の辺りに向かってやや出っ張るように湾曲した形状に形成されている。インナーシェル５を枠状とすることで、着座者の背中は表皮部材８のみにより支持されて高いクッション性を得ることができ、座り心地を良好にすることができる。但し、インナーシェル５の形状は、背凭れとして求められる面を形成し得るものであれば特に限定されるものではなく、種々の形状を採用できる。例えば矩形状が一般的であるが、美的処理や人間工学等の観点から湾曲その他の形状としても良く、また必ずしも閉じた枠を形成しなくても良い。このインナーシェル５は、背凭れ部１としての形状を保持し得る剛性と、背フレーム２への取付等が容易であるように、ある程度の変形を許容する柔軟性を兼ね備えるものが好ましい。インナーシェル５の材質や厚み等は、当該剛性と柔軟性を兼ね備えるように選択できる。インナーシェル５の材質としては、例えば適度な剛性と弾性を有する合成樹脂等の利用が好ましい。ただし、インナーシェル５の材質が合成樹脂に限定されるものでは無く、所望の剛性と柔軟性を兼ね備える材質であれば良い。
【００１４】
表皮部材８は、例えば、適度な弾力性と張力を発揮し得る素材を用いて、背凭れの下端側に開口を有する袋状に形成されている。この表皮部材８は、インナーシェル５より多少小さめに形成されており、インナーシェル５を内包することで、背凭れの弾性支持要素として機能し、背凭れの面を構成する上張地として機能するようにしている。表皮部材８の材質としては、必要に応じて適宜選択される適度な弾力性と張力を発揮し得る素材、フィルム（例えばポリエステルエラストマーやポリウレタンエラストマー等の樹脂フィルムや、更に樹脂フィルムをポリアミド等の繊維やタフタ等の織物で補強したもの等）、布地、不織布等が適宜適用可能である。特に、へたりが少なく、弾力性や通気性等が良好であるポリエステル製メッシュシートの利用が好ましい。尚、インナーシェル５を収容した後の表皮部材８の開口部は、インナーシェル５が抜け出ることがないように、タッカー（鋲）や縫製等により閉じておくことが好ましい。
【００１５】
本実施形態のポケット３は、例えば、適度な弾力性と張力を発揮し得る素材（本実施形態では表皮部材８と同一の素材）を用いて、縫製により表皮部材８の上に設けられている。ポケット３の大きさは、必ずしも限定されるものではないが、図１に示す例のように、背凭れ部１の背面（即ち背フレーム２が取り付けられる面）の上半分を占める程度の大きさとすることが、背フレーム２への取付の安定性等の観点から好ましい。ポケット３の開口は、背凭れ部１の背面側の略中間部分において水平となるように形成されている。尚、本実施形態のポケット３は、インナーシェル５が包まれる袋状の表皮部材８の上に、別の袋を設けるようにして形成されているが、必ずしもこの形態には限られない。例えば、インナーシェル５が包まれる表皮部材８の背面側の略中間部分において水平となるように切れ込みを入れて、ポケット３を構成するようにしても良い。
【００１６】
ポケット３に被覆される背フレーム２の上方部分は、インナーシェル５と対向する部分と、係止部４と係合する部分とを有するように形成される。インナーシェル５と対向する部分が背凭れ部１を安定支持する機能を有し、係止部４と係合する部分が背フレーム２の上方部分がポケット３から抜け出ることを防止する機能を有する。より具体的には、例えば本実施形態における背フレーム２は、ポケット３に被覆される枠体９と、この枠体９を支持する下部フレーム１４とを有して構成される。枠体９は、インナーシェル５の略上半分と対向するコ字型部分９ａと、ポケット３の開口付近に位置する横梁９ｂとを有して構成される。背フレーム２は、柔軟性の高い背凭れ部１を安定支持できるように、高い剛性を有するものが好ましい。このため本実施形態の枠体９は、インナーシェル５よりも硬質の合成樹脂（例えばナイロン系の合成樹脂）を用いて、コ字型部分９ａと横梁９ｂとが一体に形成されている。また、下部フレーム１４は、金属材料（例えば軽量且つ剛性に優れるアルミニウム合金や亜鉛ダイキャスト等）を用いて形成されている。枠体９と下部フレーム１４との連結部分９ｃ，１４ａは互いに嵌合する形状に形成され、これらの連結部分９ｃ，１４ａを嵌め合わせ且つねじ止めすることによって、枠体９と下部フレーム１４とは一体に固定されている。但し、背フレーム２の構造が本実施形態の例に限定されるものではない。例えば、図８に示すように、枠体９を下部フレーム１４に対してピン６３回りに回転可能に取り付けるようにしても良い。また場合によっては、枠体９と下部フレーム１４とを樹脂または金属材料等で一体成形しても良い。
【００１７】
本実施形態のポケット３には、係止部としての係止プレート４が設けられている。この係止プレート４は、例えば、樹脂製であり、背フレーム２の横梁９ｂと係合するように、ポケット３の開口縁部３ａの内側に縫製によって取り付けられている。一方、本実施形態の横梁９ｂは、その正面側（着座者側）において、係止プレート４がポケット３に張力（テンション）を与えつつ嵌め込まれ、尚且つ嵌め込まれた係止プレート４がポケット３の張力により引っ張られて当該嵌め込まれた状態から抜け出ることを妨げるように形成されている。より具体的には、本実施形態の横梁９ｂは、図２に示すように、係止プレート４が嵌め込まれるスペース２０と、嵌め込まれた係止プレート４がポケット３の張力により嵌め込まれた状態から抜け出ることを妨げる溝２１とを有するように形成されている。
【００１８】
本実施形態の背凭れ部１の下端部分は、例えばランバーサポート機構に取り付けられている。このランバーサポート機構は、着座者の腰部に向かって突出するように背凭れ部１に形成された屈曲部１ａの突出量を調整可能とするものである。本実施形態のランバーサポート機構は、例えば、一対の下部フレーム１４，１４の間を掛け渡すように下部フレーム１４，１４に固定される固定プレート２２と、この固定プレート２２に取り付けられて背凭れ部１の上方及び下方に移動可能に構成された可動部材２３とを有して構成される。本実施形態の背凭れ部１の下端部分は、この可動部材２３に取り付けられている。可動部材２３には、例えば背凭れ部１の下端部分が挿入される溝３５が形成されている。
【００１９】
固定プレート２２は、下面側（接地面側）に開口した略箱型に形成されており、下部フレーム１４と一体に形成された取付部２４に、例えばねじ止めによって固定される。可動部材２３は、一対の下部フレーム１４，１４の間に形成される空間に収容される部分２３ａと、一対の下部フレーム１４，１４と係合する突出部分２３ｂとを有するように形成され、尚且つ固定プレート２２の下面側に設けられたガイド軸２５に案内されるスライダ２６が一体に取り付けられている。可動部材２３は、突出部分２３ｂが下部フレーム１４と係合する位置と、スライダ２６が固定プレート２２と係合する位置との間を移動可能に構成される。
【００２０】
また、固定プレート２２の下面側には、一対のブラケット２７，２７が形成されていて、このブラケット２７にはレバー２８が揺動可能に取り付けられている。このレバー２８の一端側は、可動部材２３に取り付けられており、レバー２８が揺動することで可動部材２３がガイド軸２５に案内されて移動するように構成されている。より具体的には、レバー２８は、支点として機能する支軸２９と、力点として機能するピン３０と、作用点として機能する長孔３２とを有して構成される。ピン３０は、可動部材２３に形成された溝３１に挿入される。支軸２９は、ブラケット２７に回転可能に取り付けられる。長孔３２には、クランクシャフト３３のクランク部３３ａが貫通している。レバー２８は、ピン３０および支軸２９が形成される部材２８ａと、長孔３２が形成される部材２８ｂとが、略Ｖ字形を成すように一体に連結された形状となっている。また、長孔３２が形成される部材２８ｂは、クランク部３３ａの回動に支障がないように、ブラケット２７，２７間における幅が部材２８ａよりも狭くなるように形成されている。クランクシャフト３３の回転軸３３ｂは、支軸２９と平行な軸回りに回転可能であるようにブラケット２７に取り付けられる。クランク部３３ａは、一対のブラケット２７，２７の間において、クランクシャフト３３の回転軸３３ｂの周囲を回転するように形成されている。
【００２１】
したがって、クランクシャフト３３を正回転または逆回転させると、クランク部３３ａが長孔３２内を移動しながら回転軸３３ｂの回りを回転し、これに伴ってレバー２８が支軸２９回りに揺動し、ピン３０を介して可動部材２３が背凭れ部１の屈曲部１ａに近づくように押し上げられ、または屈曲部１ａから遠ざかるように押し下げられる。背凭れ部１の下端部分を支持する可動部材２３が背凭れ部１の屈曲部１ａに近づくことで、屈曲部１ａにおける着座者の腰部への突出量が増加する（図５参照）。一方、可動部材２３が屈曲部１ａから遠ざかることで、屈曲部１ａの突出量が減少する（図４参照）。尚、図４および図５は、ブラケット２７の内側の様子を示す断面側面図である。また、図３中の符号３４は、クランクシャフト３３に一体回転するように取り付けられる操作部材である。但し、操作部材３４を用いずドライバ等の工具を利用してクランクシャフト３３を回転させるように構成しても良い。
【００２２】
ここで、本実施形態における椅子１１は、座や背凭れがロッキング可能であるように構成されている。但し、本発明が適用される椅子は、ロッキング可能であるものに限定されないのは勿論である。例えば本実施形態の椅子１１は、図６及び図７に示すように、脚１２と、脚１２の上端側に取り付けられる支持体７と、前部が軸Ｘ１を介して支持体７に支持される座受１３と、基端側が軸Ｘ３を介して支持体７に取り付けられると共に、中間部において軸Ｘ２を介して座受１３の後部に連結される下部フレーム１４とを有して構成される。下部フレーム１４は、ほぼ水平な部分とほぼ直立した部分とを有する略Ｌ字形状としている。下部フレーム１４の前端部４８には、軸Ｘ３が一体回転するよう固定される。下部フレーム１４のほぼ水平な部分における略中央部には、取付部２４と一体に軸支持部４７が設けられていて、この軸支持部４７に軸Ｘ２が取り付けられる。座受１３には図示しないシェル及びクッション等が取り付けられて座１５が構成される。座受１３と支持体７とは軸Ｘ１により回転可能に連結される。下部フレーム１４と座受１３とは軸Ｘ２により回転可能に連結される。支持体７と下部フレーム１４とは軸Ｘ３により回転可能に連結される。支持体７には、その側壁の前端部に、軸Ｘ１を前後方向に沿ってスライド可能に支持するスライド案内部たる長孔１６が形成されている。軸Ｘ１は、付勢ばね（例えば圧縮コイルばね）を有して構成される反力機構１７により、長孔１６の前端側に向かって付勢されている。また、本実施形態における椅子１１は、ロッキング硬さ（反力機構１７のばね力）を調整する反力調整機構１８を備えている。尚、符号１９は、軸Ｘ１のスライド範囲を変更調整するための部材である。この椅子１１によれば、下部フレーム１４が後傾することで、座受１３の後部が後方に引かれると同時に、軸Ｘ１が長孔１６内を後方に摺動および回転する。これにより、反力機構１７の付勢ばねが圧縮されて反力を得ることができる。下部フレーム１４を後傾する外力が解除されれば、反力機構１７の付勢ばねの付勢力により下部フレーム１４が原位置に復起する。
【００２３】
以上のように構成される本実施形態の椅子１１では、背凭れ部１は例えば次のように取り付けられる。即ち、背フレーム２の上方部分としての枠体９を、背凭れ部１の背面側の上半分に設けらたポケット３で包み込む。そして、ポケット３の開口縁部３ａに設けられた係止プレート４を引っ張りながらポケット３の内部に回し込んで、横梁９ｂの正面側に取り付ける。係止プレート４を引っ張りながら取り付けることで、背凭れ部１は適度なテンションを与えられながら背フレーム２に取り付けられる。したがって、表皮部材８やポケット３に弛みや皺が生じてしまうことを回避できる。更に、係止プレート４と横梁９ｂとが係合することで、当該適度なテンションを維持して尚且つ背フレーム２の上方部分がポケット３から抜け出ることが防止される。一方、背凭れ部１の下端側は可動部材２３の溝３５に挿入される。以上により、背凭れ部１が椅子１１に取り付けられる。
【００２４】
ここで、本実施形態では、背凭れ部１が背フレーム２に対してずれてしまうことを防止するために、枠体９をポケット３で包み込んだ後に、例えば横梁９ｂの両端近傍において、背フレーム２と背凭れ部１とを２本のねじ３６で止め付けるようにしている。またインナーシェル５は背凭れ部１の下端部分から突出した取付部３７を有するものとするとともに、可動部材２３の溝３５もこの取付部３７を受け入れる形状として、背凭れ部１の下端側を可動部材２３の溝３５に挿入した後に、可動部材２３の下面側から取付部３７に対して例えば２本のねじ３８で止め付けて、背凭れ部１と可動部材２３とを固定するようにしている。尚、ねじ３６，３８の変わりに樹脂ピン等を利用しても良い。但し、これらのねじ止めは背凭れ部１と背フレーム２とのずれを確実に防止するためのものであり、場合によっては上述のねじ止めを行なわなくても良い。例えば、背凭れ部１と背フレーム２との重ね合わされる部分（本実施形態においては、背凭れ部１のインナーシェル５と、このインナーシェル５に対向する背フレーム２の枠体９のコ字型部分９ａ）を互いに係合する形状として、背凭れ部１と背フレーム２とのずれを防止するようにしても良い。この場合、係合の態様は特に限られず、例えば図９（Ａ）に示すように完全に嵌り合う凸部３９と凹部４０とを形成したり、あるいは同図（Ｂ）に示すように単に引っ掛かる程度の山部４１と谷部４２とを形成しても良い。
【００２５】
以上のように本発明によれば、アウターシェルを用いず、且つねじ等を殆んど若しくは全く用いずに、背凭れ部１を背フレーム２に容易に取り付けることができる。ねじ等を用いる場合であっても、背凭れ部１と背フレーム２とのずれを防止できる程度であれば良く、従来のねじ止めよりも少数で足りる。したがって、部品点数や作業工数を削減できる。また本発明は簡易な取付構造であるため、必要に応じて、背凭れ部１を背フレーム２から簡単に取り外すこともできる。また、ポケット３により背フレーム２の内部構造を覆い隠すことができるので、椅子１１としての見栄え・デザイン性を高めることができる。
【００２６】
また枠体９にインナーシェル５が重ね合わされることで、剛性を得るための骨材がインナーシェル５のみ又は枠体９のみである場合に比べて、背凭れとしての強度が高まる。
【００２７】
更に、係止部４をポケット３の開口縁部３ａに設けることで、ポケット３が捲れてしまうことや、ポケット３に弛みや皺が生じてしまうこと等が防止される。加えて、ポケット３の端末（例えば係止プレート４を縫製した箇所等）がポケット３の内部に隠れるため、外観も良好となる。
【００２８】
なお、上述の実施形態は本発明の好適な実施の一例ではあるがこれに限定されるものではなく、本発明の要旨を逸脱しない範囲において種々変形実施可能である。例えば、係止部４の形状や取付位置または背フレーム２の上方部分との係合の仕方は、必ずしも上述の実施形態の例に限定されるものではない。要は、ポケット３に被覆された背フレーム２の上方部分（上述の実施形態の例では枠体９）が、ポケット３から抜け出ることを防止し得るものであれば良い。更に、係止部４を背フレーム２の上方部分と係合させることによりポケット３または表皮部材８に張力を発生させ、尚且つ当該張力により係合力を増す構造とすることがより好ましい。例えば図１０に示すように、横梁９ｂの正面側（着座者側）に、嵌め込まれた係止プレート４が抜け出ることを防止する係止爪４３を設けるようにしても良い。また、例えば図１１に示すように、背凭れ部１の上方に向かって開口し、係止プレート４の半分以上が挿入される深溝４４を、横梁９ｂに形成するようにしても良い。また、例えば図１２に示すように、係止部４を鉤（フック）状に形成し、板状の横梁９ｂに引っ掛けるようにしても良い。また、例えば図１３に示すように、表面が鉤状のものと輪状のものを一対とした合成樹脂製の開閉テープ４５（いわゆるマジックテープ（商標））を係止部として用いても良い。この場合、例えば、ポケット３の開口縁部３ａと、当該開口縁部３ａを横梁９ｂに対して巻き込んだ場合に対向する位置とに開閉テープ４５を設けて、開口縁部３ａを横梁９ｂに対して巻き込んで、対となる開閉テープ４５で止め付けるようにする。また、例えば図１４に示すように、押圧することで嵌合する嵌め込み式ボタン４６を係止部として用いても良い。この場合、例えば、ポケット３の開口縁部３ａと、当該開口縁部３ａを横梁９ｂに対して巻き込んだ場合に対向する位置とに嵌め込み式ボタン４６を設けて、開口縁部３ａを横梁９ｂに対して巻き込んで、対となるボタン４６を嵌め込むようにする。また、図示しないが、上述した開閉テープ４５または嵌め込み式ボタン４６等を用いて、ポケット３の開口を閉じることで、ポケット３に被覆された背フレーム２の上方部分がポケット３から抜け出ることを防止するようにしても良い。
【００２９】
【発明の効果】
以上の説明から明らかなように、請求項１記載の背凭れの取付構造によれば、背フレームの上方部分をポケットで被覆すると共に係止部を当該被覆した上方部分に係合させて背凭れ部を背フレームに取り付けるようにしているので、アウターシェルを用いず、且つねじ等を殆んど若しくは全く用いずに、背凭れ部を背フレームに容易に取り付けることができる。ねじ等を用いる場合であっても、背凭れ部と背フレームとのずれを防止できる程度であれば良く、従来のねじ止めよりも少数で足りる。したがって、部品点数や作業工数を削減できる。また簡易な取付構造であるため、必要に応じて、背凭れ部を背フレームから簡単に取り外すこともできる。また、ポケットにより背フレームの内部構造を覆い隠すことができるので、椅子としての見栄え・デザイン性を高めることができる。
【００３０】
さらに、請求項２記載の背凭れの取付構造によれば、背凭れ部は、インナーシェルと背フレームの枠体とが重ね合わされることによって、安定に支持される。
【００３１】
さらに、請求項３記載の背凭れの取付構造によれば、ポケットの開口縁部に係止部を設けているので、ポケットが捲れてしまうことや、ポケットに弛みや皺が生じてしまうこと等が防止される。
【００３２】
さらに、請求項４記載の背凭れの取付構造によれば、着座者の腰部に向かって突出するように形成された屈曲部の突出量を調整するランバーサポート機構を構成することができる。
【図面の簡単な説明】
【図１】本発明の背凭れの取付構造の実施の一形態を示す概略斜視図である。
【図２】上記背凭れの取付構造の係止部の係合の一態様を示す概略中央断面側面図である。
【図３】上記背凭れの取付構造を適用した椅子が備えるランバーサポート機構の構成の一例を示す概略分解斜視図である。
【図４】上記ランバーサポート機構の動作の一例を示す概略断面側面図である。
【図５】上記ランバーサポート機構の動作の他の例を示す概略断面側面図である。
【図６】上記背凭れの取付構造を適用した椅子の座受近傍を示す概略中央断面側面図である。
【図７】上記背凭れの取付構造を適用した椅子の概略側面図である。
【図８】背フレームの構造の他の例を示す概略斜視図である。
【図９】背凭れ部と背フレームとの接続構造を示す概略中央縦断面側面図であり、（Ａ）は凹部と凸部、（Ｂ）は山部と谷部をそれぞれ係合している。
【図１０】係止部による係合の他の態様を示す概略中央断面側面図である。
【図１１】係止部による係合の更に他の態様を示す概略中央断面側面図である。
【図１２】係止部による係合の更に他の態様を示す概略中央断面側面図である。
【図１３】係止部による係合の更に他の態様を示す概略中央断面側面図である。
【図１４】係止部による係合の更に他の態様を示す概略中央断面側面図である。
【図１５】従来の背凭れの取付構造を示す斜視図である。
【符号の説明】
１　背凭れ部
１ａ　屈曲部
２　背フレーム
３　ポケット
３ａ　開口縁部
４　係止プレート（係止部）
５　インナーシェル
８　表皮部材
９　枠体
２３　可動部材
【図１】
2004049364.tif 000003
【図２】
2004049364.tif 000004
【図３】
2004049364.tif 000005
【図４】
2004049364.tif 000006
【図５】
2004049364.tif 000007
【図６】
2004049364.tif 000008
【図７】
2004049364.tif 000009
【図８】
2004049364.tif 000010
【図９】
2004049364.tif 000011
【図１０】
2004049364.tif 000012
【図１１】
2004049364.tif 000013
【図１２】
2004049364.tif 000014
【図１３】
2004049364.tif 000015
【図１４】
2004049364.tif 000016
【図１５】
2004049364.tif 000017